(57)【要約】【課題】モータの全損失は最小としながら、巻線の温度が上昇しても、出力を低下させずに定格時間を延長することができ、また、巻線を含むステータを効率良く冷却することができるリラクタンスモータの駆動装置及び方法を提供する。【解決手段】ステータに複数相からなる巻線を備え、巻線に電流を流すことにより生ずる起磁力でリラクタンストルクを発生するリラクタンスモータの駆動方法において、巻線１２が巻回された鉄心部の任意の箇所の磁束が、モータ運転状態に応じて交番磁束若しくは直流磁束のいずれか一方となるように、巻線１２に流れる電流の方向を切り換え、切り換えによって任意の箇所の鉄損を変化させる。少なくとも１つの相の通電方向を切り換え可能にし、切り換えられる通電方向に基づく順方向通電モードと逆方向通電モードのいずれか一方のモードを選択して駆動する。【選択図】図１
2006296120.tif 000002
【特許請求の範囲】
【請求項１】
ステータに複数相からなる巻線を備え、前記巻線に電流を流すことにより生ずる起磁力でリラクタンストルクを発生するリラクタンスモータの駆動方法において、
前記巻線が巻回された鉄心部の任意の箇所の磁束が、モータ運転状態に応じて交番磁束若しくは直流磁束のいずれか一方となるように、前記巻線に流れる電流の方向を切り換え、切り換えによって前記任意の箇所の鉄損を変化させるリラクタンスモータの駆動方法。
【請求項２】
前記複数相の少なくとも１つの相の通電方向を切り換え可能にし、切り換えられる通電方向に基づく順方向通電モードと逆方向通電モードのいずれか一方のモードを選択して駆動する請求項１に記載のリラクタンスモータの駆動方法。
【請求項３】
モータ運転状態の前記任意の箇所の温度が所定値を超えたとき、前記複数相の内の所定相を前記逆方向通電モードにより駆動する請求項２に記載のリラクタンスモータの駆動方法。
【請求項４】
モータ運転状態の前記巻線の温度が所定値を超えたとき、前記所定相を前記逆方向通電モードにより駆動する請求項２に記載のリラクタンスモータの駆動方法。
【請求項５】
モータ運転状態の回転速度及び出力トルクで定まるモータ動作点において、前記順方向通電モードと前記逆方向通電モードの内のモータ入出力効率が高いモードを選択し駆動する請求項２に記載のリラクタンスモータの駆動方法。
【請求項６】
前記複数相の全ての相の通電方向を切り換え可能にし、前記順方向通電モードと前記逆方向通電モードの内の前記任意の箇所の鉄損を低下させるモードを選択して駆動する請求項１に記載のリラクタンスモータの駆動方法。
【請求項７】
前記鉄心部及び前記巻線の鉄損を低下させるように、前記複数相の隣り合う相について前記順方向通電モードと前記逆方向通電モードを交互に選択して駆動する請求項６に記載のリラクタンスモータの駆動方法。
【請求項８】
前記複数相の内の一つの相の前記鉄心部及び前記巻線の温度が所定値を超えたとき、前記一つの相以外の相について前記順方向通電モードと前記逆方向通電モードを交互に選択して駆動する請求項６に記載のリラクタンスモータの駆動方法。
【請求項９】
前記複数相の少なくとも１つの相の通電方向を切り換え可能にし、ロータの鉄心部における所定箇所の磁束が直流磁束になるように、前記ロータの回転角度に応じて通電方向を切り換える請求項１に記載のリラクタンスモータの駆動方法。
【請求項１０】
前記ロータの回転角度に応じた通電休止期間を有し、前記ロータの鉄心部の磁束を直流磁束とする請求項９に記載のリラクタンスモータの駆動方法。
【請求項１１】
ステータに複数相からなる巻線を備え、前記巻線に電流を流すことにより生ずる起磁力でリラクタンストルクを発生するリラクタンスモータの駆動装置において、
前記巻線が巻回された鉄心部の任意の箇所の磁束が、モータ運転状態に応じて交番磁束若しくは直流磁束のいずれか一方となるように、前記巻線に流れる電流の方向を切り換える切り換え手段を有し、前記切り換え手段よって前記任意の箇所の鉄損を変化させるリラクタンスモータの駆動装置。
【請求項１２】
前記切り換え手段は、前記複数相の少なくとも１つの相の通電方向を切り換え可能にし、切り換えられる通電方向に基づく順方向通電モードと逆方向通電モードのいずれか一方のモードを選択して駆動する請求項１１に記載のリラクタンスモータの駆動装置。
【請求項１３】
前記切り換え手段は、モータ運転状態の前記任意の箇所の温度が所定値を超えたとき、前記複数相の内の所定相を前記逆方向通電モードにより駆動する請求項１２に記載のリラクタンスモータの駆動装置。
【請求項１４】
前記切り換え手段は、モータ運転状態の前記巻線の温度が所定値を超えたとき、前記所定相を前記逆方向通電モードにより駆動する請求項１２に記載のリラクタンスモータの駆動装置。
【請求項１５】
前記切り換え手段は、モータ運転状態の回転速度及び出力トルクで定まるモータ動作点において、前記順方向通電モードと前記逆方向通電モードの内のモータ入出力効率が高いモードを選択し駆動する請求項１２に記載のリラクタンスモータの駆動装置。
【請求項１６】
前記切り換え手段は、前記複数相の全ての相の通電方向を切り換え可能にし、前記順方向通電モードと前記逆方向通電モードの内の前記任意の箇所の鉄損を低下させるモードを選択して駆動する請求項１１に記載のリラクタンスモータの駆動装置。
【請求項１７】
前記切り換え手段は、前記鉄心部及び前記巻線の鉄損を低下させるように、前記複数相の隣り合う相について前記順方向通電モードと前記逆方向通電モードを交互に選択して駆動する請求項１６に記載のリラクタンスモータの駆動装置。
【請求項１８】
前記切り換え手段は、前記複数相の内の一つの相の前記鉄心部及び前記巻線の温度が所定値を超えたとき、前記一つの相以外の相について前記順方向通電モードと前記逆方向通電モードを交互に選択して駆動する請求項１６に記載のリラクタンスモータの駆動装置。
【請求項１９】
前記切り換え手段は、前記複数相の少なくとも１つの相の通電方向を切り換え可能にし、ロータの鉄心部における所定箇所の磁束が直流磁束になるように、前記ロータの回転角度に応じて通電方向を切り換える請求項１１に記載のリラクタンスモータの駆動装置。
【請求項２０】
前記切り換え手段は、前記ロータの回転角度に応じた通電休止期間を有し、前記ロータの鉄心部の磁束を直流磁束とする請求項１９に記載のリラクタンスモータの駆動装置。
【請求項２１】
モータ外装部を形成するモータハウジングの前記切り換え手段を有する相の磁極近傍に、冷却対象箇所を局部的に冷却する冷却手段を設けた請求項１１から２０のいずれか一項に記載のリラクタンスモータの駆動装置。
【発明の詳細な説明】
【技術分野】
【０００１】
この発明は、リラクタンスモータの駆動装置及び方法に関し、特に、巻線に流す電流による起磁力でリラクタンストルクを発生するリラクタンスモータの駆動装置及び方法に関する。
【背景技術】
【０００２】
従来、複数相からなる集中巻の巻線を備え、この巻線に流す電流による起磁力でリラクタンストルクを発生するリラクタンスモータが知られている。このようなリラクタンスモータとして、「スイッチドリラクタンスモータおよびその制御方法」（特許文献１参照）及び「Ｓｗｉｔｃｈｅｄ Ｒｅｌｕｃｔａｎｃｅ Ｍｏｔｏｒｓ ａｎｄ ｔｈｅｉｒ Ｃｏｎｔｒｏｌ」（非特許文献１参照）がある。
【０００３】
この「スイッチドリラクタンスモータおよびその制御方法」は、リラクタンスモータの効率を改善するものであり、ロータ突極の先端形状の変更により磁束流入角度を周方向側へ変更させ、ロータ回転トルクの変動を抑制すると共に、回転トルクを増加させて効率の向上を図っている。また、「Ｓｗｉｔｃｈｅｄ  Ｒｅｌｕｃｔａｎｃｅ  Ｍｏｔｏｒｓ  ａｎｄ  ｔｈｅｉｒ  Ｃｏｎｔｒｏｌ」には、通電する電流位相や電流値によりリラクタンスモータの効率が向上することが説明されている。
【特許文献１】特開平１１−３０８８２８号公報
【非特許文献１】Ｔ.Ｊ.Ｅ.ＭＩＬＬＥＲ著“Ｓｗｉｔｃｈｅｄ  Ｒｅｌｕｃｔａｎｃｅ  Ｍｏｔｏｒｓ  ａｎｄ  ｔｈｅｉｒ  Ｃｏｎｔｒｏｌ”（ＩＳＢＮ  ０−１９−８５９３８７−２）
【発明の開示】
【発明が解決しようとする課題】
【０００４】
しかしながら、このような従来のリラクタンスモータにおいては、銅損、鉄損、及び機械損の合計で表される全損失を低減することは可能であったが、この全損失によりモータが発熱した場合、特に、巻線の温度が耐熱仕様上限に達したとき、モータの駆動を停止するか或いはモータの出力を低下させる等といった処置をする必要があった。このため、モータには、回転速度と出力トルクで決まる動作点において定格時間が定められている。従って、例えば、回転速度１０００ｒｐｍ、出力トルク１００Ｎｍの動作点では定格時間１２０秒であるモータを１２０秒以上使用するには、出力を低下させる等により、全損失、つまり、発熱を低下させて、巻線を熱から保護する必要があった。
【０００５】
この発明の目的は、モータの全損失は最小としながら、巻線の温度が上昇しても、出力を低下させずに定格時間を延長することができ、また、巻線を含むステータを効率良く冷却することができるリラクタンスモータの駆動装置及び方法を提供することである。
【課題を解決するための手段】
【０００６】
上記目的を達成するため、この発明に係るリラクタンスモータの駆動方法は、ステータに複数相からなる巻線を備え、前記巻線に電流を流すことにより生ずる起磁力でリラクタンストルクを発生するリラクタンスモータの駆動方法において、前記巻線が巻回された鉄心部の任意の箇所の磁束が、モータ運転状態に応じて交番磁束若しくは直流磁束のいずれか一方となるように、前記巻線に流れる電流の方向を切り換え、切り換えによって前記任意の箇所の鉄損を変化させる。
【０００７】
また、この発明に係るリラクタンスモータの駆動装置は、ステータに複数相からなる巻線を備え、前記巻線に電流を流すことにより生ずる起磁力でリラクタンストルクを発生するリラクタンスモータの駆動装置において、前記巻線が巻回された鉄心部の任意の箇所の磁束が、モータ運転状態に応じて交番磁束若しくは直流磁束のいずれか一方となるように、前記巻線に流れる電流の方向を切り換える切り換え手段を有し、前記切り換え手段よって前記任意の箇所の鉄損を変化させる。
【発明の効果】
【０００８】
この発明によれば、ステータに複数相からなる巻線を備え、巻線に電流を流すことにより生ずる起磁力でリラクタンストルクを発生するリラクタンスモータの駆動方法において、巻線が巻回された鉄心部の任意の箇所の磁束が、モータ運転状態に応じて交番磁束若しくは直流磁束のいずれか一方となるように、巻線に流れる電流の方向が切り換えられ、切り換えられることによって任意の箇所の鉄損が変化する。これにより、モータの全損失は最小としながら、巻線の温度が上昇しても、出力を低下させずに定格時間を延長することができ、また、巻線を含むステータを効率良く冷却することができる。
また、この発明に係るリラクタンスモータの駆動装置により、上記リラクタンスモータの駆動方法を実現することができる。
【発明を実施するための最良の形態】
【０００９】
以下、この発明を実施するための最良の形態について図面を参照して説明する。
（第１実施の形態）
図１は、この発明の第１実施の形態に係るリラクタンスモータの駆動装置の構成を示す回路図である。図１に示すように、リラクタンスモータの駆動装置１０は、リラクタンスモータの各相において、Ｕ相は、半導体スイッチング素子１１ａ，１１ｂ，１１ｃ，１１ｄをＨブリッジ配列したバイポーラ駆動回路により、Ｖ相及びＷ相は、半導体スイッチング素子１１ａ，１１ｂをハーフブリッジ配列したユニポーラ駆動回路により、それぞれ構成されている。
【００１０】
つまり、Ｖ相及びＷ相には、それぞれの巻線１２ｖ，１２ｗに直列に、２つの半導体スイッチング素子１１ａ，１１ｂが接続されており、Ｕ相の巻線１２ｕには、４個の半導体スイッチング素子１１ａ，１１ｂ，１１ｃ，１１ｄの内のそれぞれ直列接続された半導体スイッチング素子１１ａ，１１ｃと半導体スイッチング素子１１ｂ，１１ｄの各接続端Ｕｐ，Ｕｎが、直列に接続されている。各半導体スイッチング素子１１ａ，１１ｂ，１１ｃ，１１ｄには、電源１３からモータ電流が供給される。
【００１１】
図２は、図１のリラクタンスモータの巻線構成及び磁極極性を示す、回動軸に直交する面による断面説明図である。図２に示すように、リラクタンスモータ１４は、ステータ１５、及びステータ１５の内部に回動自在に配置されたロータ１６を有しており、ロータ１６は、その表面中心を貫通する回動軸（図示しない）を有している。
【００１２】
ステータ１５及びロータ１６は、何れも、例えば、０．５ｍｍ厚程度の電磁鋼板を所定の形状（図２に示す平面形状）にプレスで打ち抜き、打ち抜き形状の電磁鋼板を回動軸の中心軸方向に積層して形成されている。ステータ１５の外周側には、ステータヨークＳｙ（後述する突極Ｕ１と突極Ｖ１にかかる部分のみ図示）が設けられており、ステータ１５の内周側には、ステータ磁極（ステータポール）Ｓｐとなる複数のティース部が放射状に突設されている。ロータ１６の外周側には、複数のロータ磁極（ロータポール）Ｒｐが放射状に突設されている。
【００１３】
このリラクタンスモータ１４は、例えば、ステータ１５に１２極、ロータ１６に８極の突極構造を有し、ステータ１５の各突極にはＵ、Ｖ、Ｗの３相の巻線１２が巻回されている。巻線１２は、突極に集中巻きされており、突極Ｕ１、Ｕ２、Ｕ３、Ｕ４にそれぞれ巻かれた４つの巻線１２ｕは、直列若しくは並列に接続されてＵ相巻線となる。突極Ｖ１、Ｖ２、Ｖ３、Ｖ４及び突極Ｗ１、Ｗ２、Ｗ３、Ｗ４についても同様であり、それぞれ巻かれた４つの巻線１２ｖ，１２ｗがＶ相巻線、Ｗ相巻線となる。これらの巻線１２に電流を流すことにより生ずる起磁力で、リラクタンストルクが発生する。
【００１４】
ここで、巻線の極性について説明する。例えば、Ｕ相を例に取ると、Ｕ相の巻線１２ｕが巻かれる突極Ｕ１、Ｕ２、Ｕ３、Ｕ４のエアギャップ面（ロータ１６の突極との対向面）の磁極が、Ｎ、Ｓ、Ｎ、ＳとＮ極とＳ極が交互に配列されるように、巻線１２ｕの巻き方向が決められる。つまり、突極Ｕ１については、巻線１２ｕ１に通電したときの電流方向が、図２において、突極Ｕ１の左側では図面表から裏に抜ける方向（図中の記号参照）、突極Ｕ１の右側では図面裏から表に抜ける方向（図中の記号参照）となり、他の突極Ｕ２、Ｕ３、Ｕ４についても同様である。そして、各突極のエアギャップ面における磁極は、Ｎ、Ｓ、Ｎ、Ｓ、……とＮ極とＳ極が交互に配列される（図２参照）。
【００１５】
上述した構成を有するリラクタンスモータ１４（図２参照）にあって、リラクタンスモータの駆動装置１０（図１参照）のＶ相及びＷ相それぞれの半導体スイッチング素子１１ａ，１１ｂの両方をオン（ＯＮ）すると、図１において図面左から右へ電流が流れる。Ｕ相の半導体スイッチング素子１１ａ，１１ｂをオン、半導体スイッチング素子１１ｃ，１１ｄをオフ（ＯＦＦ）すると、Ｖ相、Ｗ相と同様に、図１において図面左から右へと電流が流れる。このスイッチ状態及びその結果である電流方向を、以後、順方向通電モードと称する。この順方向通電モードにおいて、全ての相の電流は図１において図面左から右へと流れ、この電流方向に対し上述した磁極の並び（図２参照）になるように、構成されている。
【００１６】
一方、上述した構成において、Ｕ相の半導体スイッチング素子１１ａ，１１ｂをオフ、半導体スイッチング素子１１ｃ，１１ｄをオンすると、Ｖ相、Ｗ相と同様に、図１において図面右から左へと電流が流れる。このスイッチ状態及びその結果である電流方向を、以後、逆方向通電モードと称する。
【００１７】
図３は、逆方向通電モードの磁極極性を示す図２と同様の断面説明図である。図３に示すように、逆方向通電モードでは、Ｕ相の通電方向が逆になっているので、Ｕ相で発生する磁極が反転させられる。つまり、磁極配置が、Ｎ、Ｎ、Ｎ、Ｓ、Ｓ、Ｓ、……とＮ極とＳ極が３極ずつ交互に配列される。
【００１８】
このように、リラクタンスモータの駆動装置１０は、Ｕ相のみにバイポーラ駆動回路を備えることにより、順方向通電モード（図１参照）と逆方向通電モード（図２参照）で磁極配置を切り換えることが可能になる。つまり、リラクタンスモータ１４は、３相の内の少なくとも１つの相の通電方向を切り換える通電方向切り換え手段（バイポーラ駆動回路）を有するインバータにより、電圧が印加され駆動される。
【００１９】
ここで、リラクタンスモータ１４におけるＵ相のみ順方向通電モード時とＵ相のみ逆方向通電モード時の鉄損分布の違いについて説明する。
図４は、順方向通電モードにおけるモータ各部の磁束の変化をグラフで示し、（ａ）はステータポールでの変化状態の説明図、（ｂ）はステータヨークでの変化状態の説明図である。順方向通電モード（図２参照）の場合、図４に示すように、ステータ磁極（ステータポール）Ｓｐにおける磁束は、巻線への通電サイクルに応じて増減する波形、即ち、巻線の励磁により片振幅の三角波形状（（ａ）参照）となる。別のステータ磁極Ｓｐにおいても、位相や正負極性は異なるものの波形としては同様である。
【００２０】
また、ステータヨークＳｙ（図２参照）における磁束は、Ｕ相、Ｖ相、Ｗ相の全ての磁束が鎖交し合成磁束としての波形（（ｂ）参照）となる。これは、同極間のステータヨークＳｙａではＵ相、Ｖ相、Ｗ相の全ての磁束が鎖交するためである。別のステータヨークにおいても、位相や正負極性は異なるものの波形としては同様である。
【００２１】
図５は、Ｕ相のみ逆方向通電モードでの磁極極性を示す図２と同様の断面説明図である。図６は、逆方向通電モードにおけるモータ各部の磁束の変化をグラフで示し、（ａ）はステータポールでの変化状態の説明図、（ｂ）はステータヨーク（同極間）での変化状態の説明図、（ｃ）はステータヨーク（異極間）での変化状態の説明図である。
【００２２】
逆方向通電モード（図５参照）の場合、図６に示すように、ステータ磁極（ステータポール）Ｓｐにおける磁束は、巻線への通電サイクルに応じて増減する波形（（ａ）参照）となる。別のステータ磁極においても、位相や正負極性は異なるものの波形としては同様である。これらの波形は、順方向通電モード（図２参照）の場合と同等である。
【００２３】
また、ステータヨークＳｙ（図５参照）における磁束は、Ｕ相、Ｖ相、Ｗ相の全ての磁束の合成磁束としての波形（（ｂ）参照）となる。これは、ステータヨークＳｙではＵ相、Ｖ相、Ｗ相の全ての磁束が鎖交するためである。別のステータヨークにおいては、隣り合うステータ磁極Ｓｐが同極（Ｎ・Ｎ若しくはＳ・Ｓ）箇所の背面のステータヨークＳｙでは、位相や正負極性は異なるものの波形としては同様であるが、隣り合うステータ磁極Ｓｐが異極（Ｎ・Ｓ）箇所の背面のステータヨークＳｙ´（図５参照）では、各相の鎖交磁束の極性が同じになり結果としてほぼ直流磁束になる（（ｃ）参照）。
【００２４】
以上説明したように、順方向通電モードから逆方向通電モードに切り換えると、ステータヨークの全体積の１／３分の鉄損をほぼゼロにすることができる。これは、ステータヨークの発熱量を２／３に低減できることを意味している。なお、ロータ１６における鉄損等も勘案すると、一般的に順方向通電モードの方が全損失は小さいと言われており、通常の運転中は順方向通電モードで駆動することが望ましい。従って、逆方向通電モードは以下に示す場合に使用する。
【００２５】
ステータ１５の巻線は、エナメル被覆が熱でダメージを受け絶縁が劣化することから、一般的に使用温度の上限を設定する等により熱害から保護している。この例では、巻線近傍のステータヨークに、或いは巻線に直接、温度検知手段としてサーミスタを設置し、巻線温度を監視する。
【００２６】
図７は、温度閾値によるモード遷移における巻線温度の変化をグラフで示す説明図である。図７に示すように、巻線温度は、駆動時間の経過に伴って上昇することがある。このとき、コントローラ（図示しない）では巻線規定の上限温度より低く設定した巻線温度の所定値Ｔｓと、サーミスタで計測された巻線温度の実際値とを比較している。巻線温度が所定値Ｔｓより低いときは、全損失の小さい、即ち、モータ効率の良い順方向通電モードでモータを駆動する。
【００２７】
図８は、通電方向によるＵ相、Ｖ相、Ｗ相の通電状態を示すタイムチャートである。図８に示すように、順方向通電モードでは、Ｕ相、Ｖ相、Ｗ相が何れも順方向電流の通電を順番に繰り返す。そして、巻線温度が所定値Ｔｓより大きくなると、逆方向通電モードに切り換えて通電する。このとき、Ｕ相の通電だけ電流方向が反転される。これにより、ステータヨークの発熱が最大２／３に低減されて温度上昇が抑制され（図７参照）、巻線規定の上限温度に達する時間を延ばすことができ、定格時間の延長が可能になる。
（第２実施の形態）
【００２８】
図９は、この発明の第２実施の形態に係る駆動装置の動作点と通電モードをグラフで示す説明図である。なお、リラクタンスモータ及び駆動回路の構成は、第１実施の形態のリラクタンスモータ及び駆動回路の構成と同様である。
これまでの説明で、通常の運転中は順方向通電モードでリラクタンスモータを駆動することが望ましいと説明したが、可変速用モータとして広い駆動領域で運転する場合、それが逆転する領域がある。例えば、図９に示すように、モータの運転領域ａは、逆方向通電モードで駆動する領域ｂ（図中、ハッチングして示す）と、それ以外の順方向通電モードで駆動する領域ｃからなる。
【００２９】
逆方向通電モードで駆動する領域ｂは、銅損の支配的な回転速度Ｎの低速域であり、逆方向通電モードにおいてステータヨーク鉄損が２／３に低減され巻線の温度上昇が抑えられた結果として、銅損が順方向通電モードに比較して小さくなったために、逆方向通電モードで効率が勝った領域である。この領域ｂは、モータの運転領域ａ及びモータの磁気設計により大きく変化するので、実際には、順方向通電モードと逆方向通電モードの両方について、モータの運転領域ａの全域で実験的若しくは解析的に効率を求め、両者を比較して効率の勝る領域をもって設定する。
【００３０】
また、この実施の形態においても、巻線温度が所定値より大きくなった場合は、上述した第１実施の形態が適用できる。
（第３実施の形態）
【００３１】
図１０は、この発明の第３実施の形態に係るリラクタンスモータにおける磁極の配置と冷却水路を示す、回動軸に直交する面による断面説明図である。なお、リラクタンスモータ及び駆動回路の構成は、第１実施の形態のリラクタンスモータ及び駆動回路の構成と同様である。
【００３２】
図１０に示すように、リラクタンスモータ２０は、ステータ１５及びロータ１６を内包しモータ外装部を形成する、外形が立方体状に形成されたモータハウジング２１を有している。モータハウジング２１の４箇所の角部には、回動軸（図示しない）の中心軸方向に沿ってモータハウジング２１を貫通する穴からなる、冷却用水を循環させるための冷却水路２２が形成されている。この冷却水路２２は、順方向と逆方向に通電方向を切り換えるバイポーラ駆動回路を備えるＵ相の磁極（突極Ｕ）背面側に配置されており、モータハウジング２１の局部（Ｕ相の磁極背面のみ）を集中的に冷却するので、ステータ１５の発熱部位を効果的に冷却することが可能になる。
【００３３】
なお、冷却水路２２から位置的に遠方となるＶ相とＷ相の磁極（突極Ｖ，Ｗ）背面側、即ち、異極間の背面側に位置するステータヨークＳｙ´の発熱は抑制できるので、冷却水路２２による冷却は必要としない。
このように、モータハウジング２１の通電方向切り換え手段を有する相の磁極近傍に、冷却対象箇所を局部的に冷却する冷却手段として、冷却水路２２を設けたが、冷却手段としては冷却水路２２に限定されるものではなく、同様の効果を得ることができる、例えば、放熱フィンや放熱マス等でも良い。
（第４実施の形態）
【００３４】
図１１は、この発明の第４実施の形態に係るリラクタンスモータの駆動装置の構成を示す回路図である。図１１に示すように、リラクタンスモータの駆動装置２５は、リラクタンスモータのＵ相、Ｖ相、Ｗ相の３相全てに、通電方向切り換え手段としてＨブリッジを配置した。即ち、Ｕ相のみをバイポーラ駆動回路により構成した（第１実施の形態、図１参照）のではなく、Ｖ相とＷ相も、半導体スイッチング素子１１をＨブリッジ配列したバイポーラ駆動回路により構成している。
【００３５】
これにより、各相の順方向通電モードと逆方向通電モードを適宜選択して駆動することができるので、ステータヨークにおける任意の箇所の鉄損をほぼゼロにすることが可能となり、発熱部位に応じてその部分の温度上昇を局所的に抑制することができる。
【００３６】
図１２は、図１１のリラクタンスモータの巻線構成及び磁極極性を示す、回動軸に直交する面による断面説明図である。ここでは、リラクタンスモータのステータ１５における、逆方向通電モードを適用した相と、その結果、鉄損をほぼゼロにできるステータヨーク箇所を示している。図１２に示すように、Ｕ相に逆方向通電モードを適用したとき、鉄損をほぼゼロにできるのは、ステータヨークＳｙ２，Ｓｙ５，Ｓｙ８，Ｓｙ１１、また、Ｖ相に逆方向通電モードを適用したとき、鉄損をほぼゼロにできるのは、ステータヨークＳｙ３，Ｓｙ６，Ｓｙ９，Ｓｙ１２、そして、Ｗ相に逆方向通電モードを適用したとき、鉄損をほぼゼロにできるのは、ステータヨークＳｙ１，Ｓｙ４，Ｓｙ７，Ｓｙ１０である。
【００３７】
このモータを、自動車駆動用モータとして使用した場合について説明する。例えば、上り坂の発進時に、アクセルを軽く踏んで車両を静止させておく場合、モータは、同一の相が連続して通電されて車両を静止させるだけのトルクを発生している。これがＵ相とすると、Ｕ相の巻線温度は他の相の巻線に比較して温度が高くなる。その後、車両は走行状態に移るが、Ｕ相の巻線温度は比較的高いままである。
【００３８】
このような状況において、従来は１つの相でも温度上限に達すればその出力を低下させる等の対処を講じる必要があったが、この発明に係るリラクタンスモータの駆動方法にあっては、１つの相の温度上昇を効率的に抑制することができる。即ち、Ｕ相巻線が高温になり所定温度を超えたとき、Ｖ相とＷ相を交互に順方向通電モードと逆方向通電モードで駆動する。
【００３９】
図１３は、この発明に係るモータを駆動する際の通電パターンの第１例を説明するタイムチャートであり、図１４は、この発明に係るモータを駆動する際の通電パターンの第２例を説明するタイムチャートである。
図１３に示すように、Ｕ相を順方向通電モードで通電した後、順次、Ｖ相を逆方向通電モードで、Ｗ相を順方向通電モードで、それぞれ通電し、続けて、Ｕ相を順方向通電モードで通電した後、今度は、Ｖ相を順方向通電モードで、Ｗ相を逆方向通電モードで、それぞれ通電する。これに続けて、Ｕ相を順方向通電モードで通電した後、今度は、Ｖ相を逆方向通電モードで、Ｗ相を順方向通電モードで、それぞれ通電する。
【００４０】
つまり、Ｕ相は、１パルス毎に順方向通電モードを繰り返して通電を行うが、Ｕ相の通電に続けて、Ｖ相は、１パルス毎に逆方向通電モードと順方向通電モードを交互に繰り返して通電し、Ｗ相は、１パルス毎に順方向通電モードと逆方向通電モードを交互に繰り返して通電する。
これにより、Ｕ相磁極の背面のステータヨークＳｙ３，Ｓｙ６，Ｓｙ９，Ｓｙ１２と、ステータヨークＳｙ１，Ｓｙ４，Ｓｙ７，Ｓｙ１０は、交互に発熱がほぼゼロとなり、Ｕ相巻線の温度上昇が抑えられる。
【００４１】
なお、温度上昇の時定数は、駆動周波数のそれに比較して十分遅いので、Ｖ相とＷ相の通電を、１パルス毎に順方向通電モードと逆方向通電モードとを切り換えるパターン（図１３参照）ではなく、例えば、図１４に示すように、２パルス毎等、複数パルス毎に、順方向通電モードと逆方向通電モードを切り換えるパターンでも、同様の効果を得ることができる。
（第５実施の形態）
【００４２】
図１５は、この発明に係るモータを駆動する際の通電パターンの第３例を説明するタイムチャートである。この実施の形態では、第１実施の形態に示す、駆動回路（図１参照）によるリラクタンスモータ（図２参照）の駆動方法において、Ｕ相，Ｖ相，Ｗ相の各相の通電パターンが異なっている。
【００４３】
図１５に示すように、この実施の形態での通電パターンは、Ｕ相を正側波形で通電した後、順次、Ｖ相を正側波形で、Ｗ相を負側波形で、それぞれ通電し、続けて、Ｕ相を今度は負側波形で通電した後、Ｖ相を正側波形で、Ｗ相を今度は正側波形で、それぞれ通電する。その後、正側波形と負側波形が２つずつ交互に繰り返すように通電する。
【００４４】
この通電パターンにより、Ｕ相において、波形が正側の期間は、半導体スイッチング素子１１ａ，１１ｂがオン、半導体スイッチング素子１１ｃ，１１ｄがオフで、接続端Ｕｐ→接続端Ｕｎ方向に通電され、波形が負側の期間は、半導体スイッチング素子１１ａ，１１ｂがオフ、半導体スイッチング素子１１ｃ，１１ｄがオンで、接続端Ｕｎ→接続端Ｕｐ方向に通電される。
【００４５】
Ｕ相について、ロータ１６の回転角度に応じた時系列で見ると、正側２回、負側２回を１周期とした通電パターンであって、これは、Ｖ相、Ｗ相についても同様である。つまり、全ての相についてロータ１６の回転角度に応じた時系列で見ると、Ｕ相正側、Ｖ相正側、Ｗ相負側、Ｕ相負側、Ｖ相正側、Ｗ相正側、Ｕ相負側、Ｖ相負側、Ｗ相正側、……となる。
【００４６】
図１６は、図１５の通電パターンにおけるモータ各部の磁束の変化をグラフで示し、（ａ）はステータポールでの変化状態の説明図、（ｂ）はステータヨークでの変化状態の説明図、（ｃ）はロータポールでの変化状態の説明図、（ｄ）はロータヨークでの変化状態の説明図である。図１７は、順方向通電モードにおけるモータ各部の磁束の変化をグラフで示し、（ａ）はステータポールでの変化状態の説明図、（ｂ）はステータヨークでの変化状態の説明図、（ｃ）はロータポールでの変化状態の説明図、（ｄ）はロータヨークでの変化状態の説明図である。図１８は、ロータヨークにおける直流磁束波形となる箇所を示す、図２と同様の断面説明図である。
【００４７】
図１６に示す、図１５の通電パターンにおけるステータポールＳｐ、ステータヨークＳｙ、ロータポールＲｐ、ロータヨークＲｙの磁束の変化を、図１７に示す、順方向通電モード（第１実施の形態、図４参照）におけるステータポールＳｐ、ステータヨークＳｙ、ロータポールＲｐ、ロータヨークＲｙの磁束の変化と比較する。
【００４８】
図１６に示すように、ロータ１６の磁束、特に、ロータヨークＲｙの磁束波形が略直流になっていることが分かる。鉄損は、（磁束）２  ・（周波数）２  に比例することから、直流であれば鉄損は生じない。また、ロータポールＲｐについても、周波数は２倍になっているものの、磁束の波高値は１／４程度であり、鉄損は、（１／４）２  ・２２  ＝１／４に低減される。更に、ステータヨークＳｙに関しては、磁束の波高値は約２倍になっているものの、周波数は１／４であり、鉄損は、２２  ・（１／４）２  ＝１／４に低減される。
【００４９】
なお、ロータヨークＲｙに関し、前述した直流磁束波形となるのは、図１８に示す全ヨーク体積の１／２に当る箇所ｄに限定される。その他のヨーク部は、交番磁束となって鉄損を生じるが、これ以外の箇所、即ち、直流磁束波形となる箇所ｄの鉄損低減代が大きく、モータ全体として鉄損を大幅に低減することができる。
【００５０】
従来、リラクタンスモータのロータは、磁束の周波数が大きくなる高速回転領域で鉄損が大きくなり、その熱によって、ロータを支持するベアリングの温度が上昇するため、例えば、ロータの回動軸を中空にして冷却用水を通すことにより、ロータの温度上昇を抑制する等の対策が講じられていた。しかしながら、冷却用水を通す場合、回転部材におけるシール性の確保や循環ポンプの設置等が必要となって構造的に高価にならざるを得ず、モータコストの上昇を招いていた。これに対し、この実施の形態では、ロータの鉄損を大幅に低減することができるので、コスト上昇を招く冷却構造を省略することが可能になり、モータを安価に提供することができる。
（第６実施の形態）
【００５１】
図１９は、この発明に係るモータを駆動する際の通電パターンの第４例を説明するタイムチャートである。図２０は、図１９の通電パターンと巻線電流の関係を説明するタイムチャートである。この実施の形態におけるリラクタンスモータ及び駆動回路の構成は、第５実施の形態と同様であるが、Ｕ相，Ｖ相，Ｗ相の各相の通電パターンが、第５実施の形態の通電パターンとは異なっている。
【００５２】
図１９に示すように、この実施の形態での通電パターンは、Ｕ相を正側波形で通電した後、Ｖ相に通電せず、連続することなくＷ相を負側波形で通電し、次に、Ｕ相に通電せず、連続することなくＶ相を正側波形で通電する。その後、各相が一つ置きに、連続することなく、正側波形と負側波形が交互に繰り返すように通電する。
【００５３】
Ｕ相について、ロータ１６の回転角度に応じた時系列で見ると、正側１回、負側１回を１周期とした通電パターンであって、これは、Ｖ相、Ｗ相についても同様である。つまり、全ての相についてロータ１６の回転角度に応じた時系列で見ると、Ｕ相正側、Ｗ相負側、Ｖ相正側、Ｕ相負側、Ｗ相正側、Ｖ相負側、Ｕ相正側、……となる。この通電パターンは、第５実施の形態における通電パターンの各相の一部（点線参照）を無くした、即ち、一時的に各相の通電を休止したパターンである。
【００５４】
これにより、通電を休止する期間があるので連続したトルクを発生することはできないが、ロータヨークＲｙの磁束波形は、図１８に示す全ヨーク体積の１／２に当る箇所ｄのみならず、全てのヨーク部に対し略直流とすることができる。従って、ロータの鉄損を低減する効果は、第５実施の形態に比べ更に増大する。
【００５５】
ロータヨークＲｙの磁束を略直流にするには、Ｕ相とＷ相、Ｗ相とＶ相、Ｖ相とＷ相、それぞれの通電電流（巻線電流）波形を、図２０に示すように、オーバラップさせることが有効である（図中、オーバラップ期間参照）。つまり、回転速度と発生トルクで規定されるモータ動作範囲において、Ｕ相、Ｖ相、Ｗ相の各相の巻線電流が時間的にオーバラップする範囲を設定し、リラクタンスモータの動作状態がこの設定範囲にかかった場合、ロータ１６の回転角度に応じて通電方向を切り換えると共に通電休止期間を設け、ロータ１６の鉄心部の磁束を直流磁束とする。
【００５６】
このような電流波形（図２０参照）は、モータを高速に回転するときに得られる波形であり、この実施の形態に示す通電パターンは、高速回転領域で用いた場合に、より大きな効果を得ることができる。高速回転領域は、元々、磁束の周波数が高いので、鉄損が大きくなるが、この実施の形態に示す通電パターンにより、その鉄損を効果的に低減することができる。
【００５７】
なお、一時的な通電休止に伴うトルクの不連続性は、高速回転域でのロータの慣性、及びロータ出力軸に接続される負荷の慣性によってロータ回転が補われるため、ロータ回転に影響を及ぼさない。
【００５８】
このように、この発明によれば、ステータに複数相からなる巻線を備え、巻線に電流を流すことにより生ずる起磁力でリラクタンストルクを発生するリラクタンスモータの駆動方法において、巻線が巻回された鉄心部の任意の箇所の磁束が、モータ運転状態に応じて交番磁束若しくは直流磁束のいずれか一方となるように、巻線に流れる電流が調整され、調整によって任意の箇所の鉄損が変化するので、モータの全損失は最小としながら、巻線の温度が上昇しても、出力を低下させずに定格時間を延長することができ、また、巻線を含むステータを効率良く冷却することができる。
【００５９】
特に、前記鉄心部における任意の箇所の磁束を直流磁束にすることで、その箇所の鉄損を低減することができ、その周囲の温度上昇を抑制することができる。これにより、その周囲にある耐熱温度が比較的低い部品の温度上昇が抑制され、結果としてモータの定格時間を長らえることが可能となる。
【００６０】
また、複数相の少なくとも１つの相の通電方向を切り換え可能にし、切り換えられる通電方向に基づく順方向通電モードと逆方向通電モードのいずれか一方のモードを選択して駆動することで、巻線に流す電流を逆転させ、その結果、鉄心部における所定の箇所の磁束を直流磁束にすることができる。通電方向を切り換える切り換え手段は、少なくとも１つの相に設ければ良いので、低コストで上記効果を得ることができる。
【００６１】
また、モータ運転状態の前記任意の箇所の温度が所定値を超えたとき、前記複数相の内の所定相を前記逆方向通電モードにより駆動することで、鉄心部の温度によってその部位の温度上昇を抑制することができるので、当該鉄心部の温度を所定値に制御することが可能になり、上記効果を得ることができる。
【００６２】
また、モータ運転状態の前記巻線の温度が所定値を超えたとき、前記所定相を前記逆方向通電モードにより駆動することで、巻線の温度によってその部位の温度上昇を抑制することができるので、当該巻線の温度を所定値に制御することが可能になり、上記効果を得ることができる。
【００６３】
また、モータ運転状態の回転速度及び出力トルクで定まるモータ動作点において、前記順方向通電モードと前記逆方向通電モードの内のモータ入出力効率が高いモードを選択し駆動することで、上記各効果に加え、モータの運転領域の全域で全損失を最小にすることが可能になり、エネルギの損失または発熱を最小限に抑えることができる。
【００６４】
また、前記複数相の全ての相の通電方向を切り換え可能にし、前記順方向通電モードと前記逆方向通電モードの内の前記任意の箇所の鉄損を低下させるモードを選択して駆動することで、モータの鉄心における任意の箇所の鉄損、つまり発熱を低減する部位を制御可能になる。
【００６５】
また、前記鉄心部及び前記巻線の鉄損を低下させるように、前記複数相の隣り合う相について前記順方向通電モードと前記逆方向通電モードを交互に選択して駆動することで、任意の箇所の温度上昇を抑制することができる。
【００６６】
また、前記複数相の内の一つの相の前記鉄心部及び前記巻線の温度が所定値を超えたとき、前記一つの相以外の相について前記順方向通電モードと前記逆方向通電モードを交互に選択して駆動することで、局所的な温度上昇に対してその部分の温度上昇を効率良く抑制することが可能になる。
【００６７】
また、前記複数相の少なくとも１つの相の通電方向を切り換え可能にし、ロータの鉄心部における所定箇所の磁束が直流磁束になるように、前記ロータの回転角度に応じて通電方向を切り換えることで、特に、ロータの鉄損を低減することができるので、構造が複雑となるロータ冷却のための装置を省略することができ、安価にモータを提供することが可能になる。
【００６８】
また、前記ロータの回転角度に応じた通電休止期間を有し、前記ロータの鉄心部の磁束を直流磁束とすることで、高速回転時におけるロータの鉄損を略ゼロにすることが可能になり、高速回転時における効率の改善及び運転時間の延長が可能になる。
【００６９】
また、モータ外装部を形成するモータハウジングの前記切り換え手段を有する相の磁極近傍に、冷却対象箇所を局部的に冷却する冷却手段を設けたことで、モータの設置上の都合によりモータ外周の一部にしか冷却手段を配置できない構造であっても、冷却手段の位置の内側に通電方向を切り換える切り換え手段を有する相の磁極を配置するようにしたので、その他の磁極の発熱を低減しつつ効率の良い冷却が可能になる。
【図面の簡単な説明】
【００７０】
【図１】この発明の第１実施の形態に係るリラクタンスモータの駆動装置の構成を示す回路図である。
【図２】図１のリラクタンスモータの巻線構成及び磁極極性を示す、回動軸に直交する面による断面説明図である。
【図３】逆方向通電モードの磁極極性を示す図２と同様の断面説明図である。
【図４】順方向通電モードにおけるモータ各部の磁束の変化をグラフで示し、（ａ）はステータポールでの変化状態の説明図、（ｂ）はステータヨークでの変化状態の説明図である。
【図５】Ｕ相のみ逆方向通電モードでの磁極極性を示す図２と同様の断面説明図である。
【図６】逆方向通電モードにおけるモータ各部の磁束の変化をグラフで示し、（ａ）はステータポールでの変化状態の説明図、（ｂ）はステータヨーク（同極間）での変化状態の説明図、（ｃ）はステータヨーク（異極間）での変化状態の説明図である。
【図７】温度閾値によるモード遷移における巻線温度の変化をグラフで示す説明図である。
【図８】通電方向によるＵ相、Ｖ相、Ｗ相の通電状態を示すタイムチャートである。
【図９】この発明の第２実施の形態に係る駆動装置の動作点と通電モードをグラフで示す説明図である。
【図１０】この発明の第３実施の形態に係るリラクタンスモータにおける磁極の配置と冷却水路を示す、回動軸に直交する面による断面説明図である。
【図１１】この発明の第４実施の形態に係るリラクタンスモータの駆動装置の構成を示す回路図である。
【図１２】図１１のリラクタンスモータの巻線構成及び磁極極性を示す、回動軸に直交する面による断面説明図である。
【図１３】この発明に係るモータを駆動する際の通電パターンの第１例を説明するタイムチャートである。
【図１４】この発明に係るモータを駆動する際の通電パターンの第２例を説明するタイムチャートである。
【図１５】この発明に係るモータを駆動する際の通電パターンの第３例を説明するタイムチャートである。
【図１６】図１５の通電パターンにおけるモータ各部の磁束の変化をグラフで示し、（ａ）はステータポールでの変化状態の説明図、（ｂ）はステータヨークでの変化状態の説明図、（ｃ）はロータポールでの変化状態の説明図、（ｄ）はロータヨークでの変化状態の説明図である。
【図１７】順方向通電モードにおけるモータ各部の磁束の変化をグラフで示し、（ａ）はステータポールでの変化状態の説明図、（ｂ）はステータヨークでの変化状態の説明図、（ｃ）はロータポールでの変化状態の説明図、（ｄ）はロータヨークでの変化状態の説明図である。
【図１８】ロータヨークにおける直流磁束波形となる箇所を示す、図２と同様の断面説明図である。
【図１９】この発明に係るモータを駆動する際の通電パターンの第４例を説明するタイムチャートである。
【図２０】図１９の通電パターンと巻線電流の関係を説明するタイムチャートである。
【符号の説明】
【００７１】
１０，２５  リラクタンスモータの駆動装置
１１ａ，１１ｂ，１１ｃ，１１ｄ  半導体スイッチング素子
１２ｕ，１２ｕ１，１２ｖ，１２ｗ  巻線
１３  電源
１４，２０  リラクタンスモータ
１５  ステータ
１６  ロータ
２１  モータハウジング
２２  冷却水路
Ｒｐ  ロータ磁極
Ｒｙ  ロータヨーク
Ｓｐ  ステータ磁極
Ｓｙ，Ｓｙａ，Ｓｙ´  ステータヨーク
Ｕ１、Ｕ２、Ｕ３、Ｕ４、Ｖ１、Ｖ２、Ｖ３、Ｖ４、Ｗ１、Ｗ２、Ｗ３、Ｗ４  突極
Ｕｐ，Ｕｎ  接続端
ａ  モータの運転領域
ｂ  逆方向通電モードで駆動する領域
ｃ  順方向通電モードで駆動する領域
【図１】
2006296120.tif 000003
【図２】
2006296120.tif 000004
【図３】
2006296120.tif 000005
【図４】
2006296120.tif 000006
【図５】
2006296120.tif 000007
【図６】
2006296120.tif 000008
【図７】
2006296120.tif 000009
【図８】
2006296120.tif 000010
【図９】
2006296120.tif 000011
【図１０】
2006296120.tif 000012
【図１１】
2006296120.tif 000013
【図１２】
2006296120.tif 000014
【図１３】
2006296120.tif 000015
【図１４】
2006296120.tif 000016
【図１５】
2006296120.tif 000017
【図１６】
2006296120.tif 000018
【図１７】
2006296120.tif 000019
【図１８】
2006296120.tif 000020
【図１９】
2006296120.tif 000021
【図２０】
2006296120.tif 000022